(57)【要約】【課題】複数のプッシュスイッチを多段に配置して電子機器に組み付ける際の作業工数の削減、作業性の向上及び電子機器のコンパクト化を図るのに好適な多段プッシュスイッチを提供する。【解決手段】光学式読取装置２０の回路基板上に該回路基板に対して２段に配置されたスイッチ本体収容室３Ａ,３Ｂを有する一つのスイッチケース２と、スイッチ本体収容室３Ａ,３Ｂのそれぞれに収容されるとともに、スイッチ本体収容室３Ａ,３Ｂからスイッチケース２の外部へ突出するように配置された押圧子５Ａ,５Ｂと、スイッチ本体収容室３Ａ,３Ｂのそれぞれに一つずつ収容されるとともに、押圧子５Ａ,５Ｂを介するプッシュ操作によりスイッチオン又はオフの状態となるスイッチ本体６Ａ,６Ｂとを備えてなる。【選択図】図２
2011009048.tif 000002
【特許請求の範囲】
【請求項１】
電子機器の回路基板上に該回路基板に対して多段に配置された複数のスイッチ本体収容室を有する一つのスイッチケースと、
前記複数のスイッチ本体収容室のそれぞれに収容されるとともに、前記スイッチ本体収容室から前記スイッチケースの外部へ突出するように配置された複数の押圧子と、
前記複数のスイッチ本体収容室のそれぞれに一つずつ収容されるとともに、前記押圧子を介するプッシュ操作によりスイッチオン又はオフの状態となる複数のスイッチ本体と、
を備えてなることを特徴とする多段プッシュスイッチ。
【請求項２】
前記スイッチ本体は、
前記押圧子を一端部に一体に形成してなるプッシュレバー部と、
前記プッシュレバー部の他端部を回転可能に支持する支持手段と、
前記スイッチ本体収容室の底面に設けた一対の固定接点と、
前記プッシュレバー部に一体に設けたホルダ部に装着されて前記押圧子と前記一対の固定接点との間に配置されるＵ字形接点ばね片とを備え、
前記Ｕ字形接点ばね片は、
Ｕ字形に屈曲した板ばねからなり、その板ばねの屈曲部が前記ホルダ部のＵ字形凹部に挿入装着されることで前記ホルダ部に装着されるとともに、その板ばねの一端部が前記押圧子の下部に当接し、その板ばねの他端部が上下２枚の接点板に分かれて、上側の接点板が下側の接点板の前方に突き出た形状に形成されてなり、
前記上側の接点板は、
前記一方の固定接点に常時当接し、
前記下側の接点板は、
前記押圧子を介するプッシュ操作により前記プッシュレバー部と一緒に下方に回転移動して、前記他方の固定接点に当接し、
前記下側の接点板が前記他方の固定接点に当接したときに、前記Ｕ字形接点ばね片を介して前記一対の固定接点間が導通することで、前記スイッチ本体がスイッチオンの状態となること
を特徴とする請求項１に記載の多段プッシュスイッチ。
【発明の詳細な説明】
【技術分野】
【０００１】
本発明は、ＤＶＤやＣＤ等の光学式読取装置その他の機器に組み込み使用される多段プッシュスイッチに関する。
【背景技術】
【０００２】
従来、ＤＶＤ等の光学式記録媒体を読み取る光学式読取装置においては、光学式読取装置内でデータを読み取る際にレーザが使用されている。このレーザの人体に対する影響を考慮し、安全補償などの観点から、ＤＶＤ等の光学式記録媒体がトレイにセットされて装置内の所定位置に配置されたことを確実に検知するように構成されている。そのために、そのトレイ検知点に、例えば特許文献１に示されている構造のプッシュスイッチを単独ではなく、一列に２つ並べて組み付けるようにしている。
【０００３】
上記のような２段のプッシュスイッチを採用した光学式読取装置においては、光学式記録媒体をセットしたトレイが前記トレイ検知点に搬送されてくると、２段のプッシュスイッチの各押圧子がトレイで押圧される。これにより、２段のプッシュスイッチがそれぞれスイッチオンの状態となり、その２つのオン信号から当該トレイが所定位置に配置されたことが検知される。このように構成すると、いずれか一方のプッシュスイッチが故障しても、正常に作動する他方のプッシュスイッチからのオン信号により、トレイが所定位置に配置されたことを検知することができる。これにより、トレイが所定位置に配置されていない状態でレーザ光源が作動しレーザが照射されるといった不具合を確実に防止することができる。
【０００４】
しかしながら、特許文献１に示されている従来構造のプッシュスイッチによると、これを例えば前述した光学式読取装置のように２段のプッシュスイッチとして機器に組み付けるとしたならば、一つずつ物理的に独立した２つのプッシュスイッチを正確に一列に並べて位置決めして組み付けなければならず、その組み付け作業が難しくなる。そのうえ、プッシュスイッチの組付け工数自体が単純計算で２倍となり、機器全体の製造コストの増加を招く等の問題が生じる。また、設置面に対し横一列に配置されるため、設置面積も広くなってしまい、電気機器のコンパクト化を図るうえではコンパクト化の阻害要因となるという問題も生じる。
【先行技術文献】
【特許文献】
【０００５】
【特許文献１】特開平１０−５０１７４号公報
【発明の概要】
【発明が解決しようとする課題】
【０００６】
本発明は、上記課題を解決するためになされたもので、その目的とするところは、複数のプッシュスイッチを多段に並べて機器に組み付ける際の作業工数の削減、作業性の向上及び電子機器のコンパクト化を図るのに好適なプッシュスイッチを提供することにある。
【課題を解決するための手段】
【０００７】
前記目的を達成するために、本発明に係る多段プッシュスイッチは、電子機器の回路基板上に該回路基板に対して多段に配置された複数のスイッチ本体収容室を有する一つのスイッチケースと、前記複数のスイッチ本体収容室のそれぞれに収容されるとともに、前記スイッチ本体収容室から前記スイッチケースの外部へ突出するように配置された複数の押圧子と、前記複数のスイッチ本体収容室のそれぞれに一つずつ収容されるとともに、前記押圧子を介するプッシュ操作によりスイッチオン又はオフの状態となる複数のスイッチ本体と、を備えてなることを特徴とする。
【０００８】
また、本発明に係る多段プッシュスイッチにおいては、前記スイッチ本体は、前記押圧子を一端部に一体に形成してなるプッシュレバー部と、前記プッシュレバー部の他端部を回転可能に支持する支持手段と、前記スイッチ本体収容室の底面に設けた一対の固定接点と、前記プッシュレバー部に一体に設けたホルダ部に装着されて前記押圧子と前記一対の固定接点との間に配置されるＵ字形接点ばね片とを備え、前記Ｕ字形接点ばね片は、Ｕ字形に屈曲した板ばねからなり、その板ばねの屈曲部が前記ホルダ部のＵ字形凹部に挿入装着されることで前記ホルダ部に装着されるとともに、その板ばねの一端部が前記押圧子の下部に当接し、その板ばねの他端部が上下２枚の接点板に分かれて、上側の接点板が下側の接点板の前方に突き出た形状に形成されてなり、前記上側の接点板は、前記一方の固定接点に常時当接し、前記下側の接点板は、前記押圧子を介するプッシュ操作により前記プッシュレバー部と一緒に下方に回転移動して、前記他方の固定接点に当接し、前記下側の接点板が前記他方の固定接点に当接したときに、前記Ｕ字形接点ばね片を介して前記一対の固定接点間が導通することで、前記スイッチ本体がスイッチオンの状態となるように構成してもよい。
【発明の効果】
【０００９】
本発明によると、電子機器の回路基板上に該回路基板に対して多段に配置された複数のスイッチ本体収容室を有する一つのスイッチケースと、前記複数のスイッチ本体収容室のそれぞれに収容されるとともに、前記スイッチ本体収容室から前記スイッチケースの外部へ突出するように配置された複数の押圧子と、前記複数のスイッチ本体収容室のそれぞれに一つずつ収容されるとともに、前記押圧子を介するプッシュ操作によりスイッチオン又はオフの状態となる複数のスイッチ本体と、を備えてなるように構成した。これにより、電子機器に組み付ける際の作業工数の削減、作業性の向上及び電子機器のコンパクト化を図ることができる。
【図面の簡単な説明】
【００１０】
【図１】本発明を適用した２段プッシュスイッチの説明図であり、（ａ）は２段プッシュスイッチの正面図、（ｂ）は上面図、（ｃ）は背面図、（ｄ）は右側面図である。
【図２】（ａ）は図１（ｄ）中のＡ−Ａ線断面図、（ｂ）は図２（ａ）中のＢ−Ｂ線断面図である。
【図３】図１の２段プッシュスイッチを構成する押圧子、プッシュレバー部およびホルダ部の一体成形品の説明図であり、（ａ）は一体成形品の正面図、（ｂ）はその右側面図、（ｃ）はその左側面図、（ｄ）は（ａ）中のＡ−Ａ線断面図、（ｅ）は（ｂ）中のＢ−Ｂ線断面図、（ｆ）は一体成形品の上面図である。
【図４】図１の２段プッシュスイッチを構成するＵ字形接点ばね片の説明図であり、（ａ）はＵ字形接点ばね片の正面図、（ｂ）はその上面図、（ｃ）はその側面図である。
【図５】２段プッシュスイッチの使用例の説明図である。
【発明を実施するための形態】
【００１１】
以下、本発明を実施するための最良の形態について、添付した図面を参照しながら詳細に説明する。なお、本実施形態においては、本発明である多段プッシュスイッチを２段プッシュスイッチとして説明するが、これに限定されるものではない。
【００１２】
図１は本発明を適用した２段プッシュスイッチの説明図であり、（ａ）は２段プッシュスイッチの正面図、（ｂ）は上面図、（ｃ）は背面図、（ｄ）は右側面図、図２（ａ）は図１（ｄ）中のＡ−Ａ線断面図、同図（ｂ）は図２（ａ）中のＢ−Ｂ線断面図、図３は図１の２段プッシュスイッチを構成する押圧子、プッシュレバー部およびホルダ部の一体成形品の説明図であり、（ａ）は一体成形品の正面図、（ｂ）はその右側面図、（ｃ）はその左側面図、（ｄ）は（ａ）中のＡ−Ａ線断面図、（ｅ）は（ｂ）中のＢ−Ｂ線断面図、（ｆ）は一体成形品の上面図、図４は図１の２段プッシュスイッチを構成するＵ字形接点ばね片の説明図であり、（ａ）はＵ字形接点ばね片の正面図、（ｂ）はその上面図、（ｃ）はその側面図、図５は２段プッシュスイッチの使用例の説明図である。
【００１３】
図１の２段プッシュスイッチ１は、図１（ｂ）あるいは図２（ｂ）に示すように、一つのスイッチケース２内に２つのスイッチ本体収容室３Ａ、３Ｂを有している。これら２つのスイッチ本体収容室３Ａ、３Ｂは、図上、２段に並べて一体成形され、それぞれが独立した個別の室となっている。なお、本実施形態に係る２段プッシュスイッチ１においては、２つの同一構成のプッシュスイッチが２段に形成された形態であるので、図１〜図５においては、図示できる構成については図示するが、重なってしまって図示しづらい構成については、カッコ書きにて符号を付して図示を省略してある。
【００１４】
スイッチケース２の図２（ａ）で言うところの上部には、スイッチ本体収容室３Ａ、３Ｂと連通する開口部４Ａ、４Ｂが設けられており、この開口部４Ａ、４Ｂを介してスイッチ本体収容室３Ａ、３Ｂからスイッチケース２の外部へ２つの押圧子５Ａ、５Ｂが突出するように配置されており、これら２つの押圧子５Ａ、５Ｂはスイッチ本体収容室３Ａ、３Ｂに対応する並び方に配置されている。本実施形態で言えば、図５のように２段プッシュスイッチ１を回路基板上に設置した状態で、上下２段に配置されている。
【００１５】
各スイッチ本体収容室３Ａ、３Ｂには、それぞれに一つずつスイッチ本体６Ａ、６Ｂが収容されている。スイッチ本体６Ａは、上記押圧子５Ａを一端部に一体に形成してなるプッシュレバー部７と、このプッシュレバー部７の他端部を回転可能に支持する支持手段８と、上記スイッチ本体収容室３Ａの底面に設けた一対の固定接点９−１、９−２と、上記プッシュレバー部７に一体に設けたホルダ部１０に装着されて押圧子５Ａと一対の固定接点９−１、９−２との間に配置されるＵ字形接点ばね片１１とを備えている。
【００１６】
前記プッシュレバー部７は、スイッチ本体収容室３Ａの開口部４Ａからスイッチ本体収容室３Ａ内に少し入った位置に略水平に配置される。このようなプッシュレバー部７の略水平姿勢は、押圧子５Ａを介してプッシュレバー部７に下向きの力（トルク）が何も作用しないときの姿勢であり、押圧子５Ａに下向きの力が作用すると、このプッシュレバー部７は、その支持手段８による支持点（後述の支持軸８ａ、８ａ）を中心として、下方に所定の角度で回転移動する。
【００１７】
図３にも示したように、プッシュレバー部７に設けられているホルダ部１０は、押圧子５Ａをプッシュレバー部７に形成した面とは反対の面（プッシュレバー部７の下面）に一体に成形されるとともに、Ｕ字形接点ばね片１１を装着するための凹部１２を有し、この凹部１２は、プッシュレバー部７が略水平姿勢のときに、横向きのＵ字形状となるように構成されている。
【００１８】
プッシュレバー部７を支持する前記支持手段８は、プッシュレバー部７の両側に突出形成された左右の支持軸８ａ、８ａを、スイッチ本体収容室３Ａの両壁面に形成された左右の軸受部８ｂ、８ｂで支持する両端支持構造になっている。
【００１９】
前記一対の固定接点９−１、９−２は、プッシュレバー部７の回転接線方向に沿って一列に並んで設けられている。スイッチケース２の下面にはこの一対の固定接点９−１、９−２に対応する外部端子１３−１、１３−２が設けられており、前記一対の固定接点９−１、９−２はそれぞれ対応する前記外部端子１３−１、１３−２に電気的に接続されている。
【００２０】
図４にも示したように、前記Ｕ字形接点ばね片１１はＵ字形に屈曲した板ばね１１ａからなり、その板ばね１１ａの屈曲部１１ｂをホルダ部１０のＵ字形凹部１２に挿入することで、Ｕ字形接点ばね片１１はホルダ部１０に装着される。
【００２１】
また、Ｕ字形接点ばね片１１を構成する板ばね１１ａの一端部１１ｃは、押圧子５Ａの下部に当接するように構成され、同板ばね１１ａの他端部１１ｄは、上下２枚の接点板１４−１、１４−２に分かれて、上側の接点板１４−１が下側の接点板１４−２の前方に突き出た形状となっている。
【００２２】
そして、上記のような上下２枚の接点板１４−１、１４−２のうち、上側の接点板１４−１は、一方の固定接点９−１に常時当接するように構成され、また、下側の接点板１４−２は、押圧子５Ａを介するプッシュ操作によりプッシュレバー部７と一緒に下方に回転移動して、他方の固定接点９−２に当接するように構成されている。
【００２３】
また、上記のように板ばね１１ａの屈曲部１１ｂをホルダ部１０のＵ字形凹部１２に挿入するとき、板ばね１１ａの両端部１１ｃ、１１ｄは、互いに近づく方向（内方）に圧縮した状態とされ、この状態でホルダ部１０のＵ字形凹部１２に挿入し嵌着される。このとき、その圧縮による板ばね１１ａの反発力（復元力）は、下側の接点板１４−２と板ばね１１ａの一端部１１ｃに蓄積された状態で残存する。
【００２４】
ところで、図１、図２は押圧子５Ａを介してプッシュレバー部７に何も力が作用していない状態を示している。この状態から押圧子５Ａを介してプッシュレバー部７に図２中下向きの力が作用すると、プッシュレバー部７が支持軸８ａ、８ａを中心として同図中下向きに回転移動する。このとき、上側の接点板１４−１は上記力で一方の固定接点９−１に押え付けられて弾性変形しながら該固定接点９−１上を摺動し、これと同時に、下側の接点板１４−２は他方の固定接点９−２に近づいて当接する。このため、Ｕ字形接点ばね片１１を介して一対の固定接点９−１、９−２間が導通し、このスイッチ本体６Ａはスイッチオンの状態となる。
【００２５】
上記のように作用している力がなくなると、その力で押え付けられて弾性変形していた上側の接点板１４−１が弾性変形前の元の状態に復元しようとし、その復元力でプッシュレバー部７が支持軸８ａ、８ａを中心として図２中上向きに回転移動して図２のような略水平の状態に戻るとともに、下側の接点板１４−２が他方の固定接点９−２から離れることで、固定接点９−１、９−２間が遮断され、このスイッチ本体６Ａはスイッチオフの状態となる。
【００２６】
図１（ｂ）中下側あるいは図１（ｄ）中左側のスイッチ本体収容室３Ｂに収容されているスイッチ本体４Ｂは、前記スイッチ本体４Ａと同一構造であるため、それと同一部材には同一符号を付し、その詳細説明は省略する。
【００２７】
上記構成の２段プッシュスイッチ１は、例えば、図５のようにＤＶＤ等の光学式記録媒体の光学式読取装置２０に使用される。光学式読取装置２０は、トレイ２１にセットされた光学式記録媒体２２にレーザ（図示省略）を照射してデータを読み取るが、レーザの人体に与える影響を考慮し、安全補償などの観点から、同光学式読取装置２０では、レーザ照射前に、トレイ２１が所定の位置に配置されたことを確実に検知するために、その検知点に２段プッシュスイッチ１を組み付けている。
【００２８】
上記のように組み付けられた２段プッシュスイッチ１が正常に作動できる状態にあるときは、光学式記録媒体２２をセットしたトレイ２１が光学式読取装置２０内の所定位置まで引き込まれて所定位置に配置されると、そのトレイ２１の前方に設置されている２段プッシュスイッチ１の押圧子５Ａ、５Ｂがトレイ２１で押圧され、これにより２段プッシュスイッチ１のスイッチ本体６Ａ、６ｂが双方ともスイッチオンの状態となり、このオン信号からトレイ２１が所定位置にセットされたことが検出される。もし仮に、いずれか一方のスイッチ本体６Ａ、６Ｂが故障したときには、正常に作動する他方のスイッチ本体からのオン信号でトレイ２１が所定位置に配置されたことを検出することができる。
【００２９】
本実施形態の２段プッシュスイッチ１によると、これを上記のような光学式読取装置２０に組み付ける際に、一つのスイッチケース２を光学式読取装置２０内の前記検知点に位置決めして取り付けるだけの一の簡単な作業で、複数のプッシュスイッチを多段に並べて一度に組み付けることができ、光学式読取装置への組み付け作業工数の削減や組み付け作業性の向上等を図れ、光学式読取装置２０自体の製造コストを低減することができるという作用効果を奏するとともに、２段に配置したことにより設置スペースが少なくて済むという効果も奏する。
【００３０】
尚、上記実施形態は本発明を２段のプッシュスイッチとして適用した例であるが、本発明は２段以上の多段のプッシュスイッチに適用することができる。また、本発明を構成するスイッチ本体の具体的構成については、上記実施形態以外の構成を採用してもよい。
【符号の説明】
【００３１】
１  ２段プッシュスイッチ（多段プッシュスイッチ）
２  スイッチケース
３Ａ、３Ｂ  スイッチ本体収容室
４Ａ、４Ｂ  開口部
５Ａ、５Ｂ  押圧子
６Ａ、６Ｂ  スイッチ本体
７  プッシュレバー部
８  支持手段
８ａ  支持軸
８ｂ  軸受部
９−１、９−２  固定接点
１０  ホルダ部
１１  Ｕ字形接点ばね片
１１ａ  板ばね
１１ｂ  板ばねの屈曲部
１１ｃ  板ばねの一端部
１１ｄ  板ばねの他端部
１２  Ｕ字形凹部
１３−１、１３−２  外部端子
１４−１  上側の接点板
１４−２  下側の接点板
２０  光学式読取装置
２１  トレイ
２２  光学式記録媒体
【図１】
2011009048.tif 000003
【図２】
2011009048.tif 000004
【図３】
2011009048.tif 000005
【図４】
2011009048.tif 000006
【図５】
2011009048.tif 000007